(57)【特許請求の範囲】
【請求項１】
画像形成すべき画像データに基づき記録媒体に画像形成を行う画像形成部と、
該画像形成すべき画像データに、画像形成に使用するインクまたはトナーの成分に関する情報を示す特定画像が含まれるか否かを判別する特定画像判定部と、
該特定画像判定部により、前記画像形成すべき画像データが前記特定画像を含むと判定されたときに、前記特定画像を、前記画像形成部が使用するインクまたはトナーの成分を示す所定の成分表示マークに置換する特定画像置換処理部と、を有し、
該特定画像置換処理部は、前記特定画像を前記成分表示マークに置換する際に、前記特定画像と同じ位置で、該特定画像と同じ形状および大きさを有する前記成分表示マークに置換することを特徴とする画像形成装置。
【請求項２】
請求項１に記載の画像形成装置において、
予め前記所定の成分表示マークをインクまたはトナーの成分を示す成分情報と関連付けて記憶する記憶部を有し、
前記特定画像置換処理部は、前記特定画像判定部により、前記画像形成すべき画像データが前記特定画像を含むと判定されたときに、前記画像形成部で使用されているインクカートリッジまたはトナーカートリッジに備えられている記録手段から、前記成分情報を取得し、該取得した成分情報に関連付けて前記記憶部に記憶されている前記成分表示マークを前記記憶部から抽出し、前記特定画像を前記抽出した成分表示マークに置換することを特徴とする画像形成装置。
【請求項３】
請求項２に記載の画像形成装置において、
前記特定画像置換処理部は、前記画像形成部で使用されているインクカートリッジまたはトナーカートリッジに備えられている記録手段から前記成分情報を取得した際、該取得した成分情報に関連付けられている前記成分表示マークが前記記憶部に記憶されていない場合、前記画像形成すべき画像データから前記特定画像を消去することを特徴とする画像形成装置。
【請求項４】
請求項１に記載の画像形成装置において、
前記特定画像に相当するモデルパターンの画像データを予め保持する記憶部を有し、
前記特定画像判定部は、前記画像形成すべき画像データと、前記記憶部に記憶したモデルパターンとでパターンマッチングを行い、前記画像形成すべき画像データに前記モデルパターンと一致する画像が含まれると判定したときに、前記画像形成すべき画像データに前記特定画像が含まれるものと判定することを特徴とする画像形成装置。
【請求項５】
請求項１〜４のいずれか１に記載の画像形成装置において、
前記特定画像は、植物系油を用いた環境対応型インクの成分を表示するためのロゴマークの画像であることを特徴とする画像形成装置。
【発明の詳細な説明】
【技術分野】
【０００１】
本発明は、画像形成装置、より具体的には、インクまたはトナーを用いて記録媒体に画像形成を行う画像形成装置に関する。
【背景技術】
【０００２】
原稿画像を読み取った画像データや、外部機器や記録媒体から出力された画像データを記録紙等の媒体に画像形成する画像形成装置が普及している。画像形成装置としては、複写機能、プリンタ機能、ファクシミリ機能、データ送信機能、データファイリング機能等の複数の機能を備えた複合機も普及している。画像形成装置における画像形成処理では、インクやトナーなどが使用され画像形成が行われる。
【０００３】
現在、画像形成に適用する印刷用インクとして、環境対応型のインクが用いられている。環境対応型のインクには、例えば、石油系の有機溶剤の一部を植物系の油に代えて揮発性有機化合物の発生を低減させたインク等が用いられる。揮発性有機化合物は、大気中に飛散すると光化学オキシダントやＳＰＭ（浮遊粒子状物質）を生成し、呼吸器疾患や化学物質過敏症などの健康問題を引き起こすとされている。揮発性有機化合物を削減したインクは、環境対応型のインクとして知られている。
【０００４】
環境対応型インクとして、例えば植物油インクと呼ばれるものは、特定の植物油もしくは植物油を原料としたエステル等が一定割合含まれるインクである。また、ソイインクと呼ばれるものは、従来の石油溶剤の一部を大豆油、植物油に代えたインクである。また、Ｗ２（Water Washable）インクと呼ばれるものは、１００％の植物油でつくられた水洗浄性のインクである。また、ライスインクと呼ばれるものは、米ぬか油を使用したインクである。
【０００５】
上記のような環境対応型のインクを用いて印刷物などを作成する際に、環境対応型インクを成分とするインクが用いられていることを示す所定のロゴマークをその印刷物に印刷することが行われる。例えば、植物油インクマーク、大豆インクマーク、Ｗ２インクマーク、ライスインクマークなどのロゴマークがトレードマークとして登録され、各環境対応型インクを使用するユーザは、使用するインクに応じたロゴマークを印刷物に印刷することで、環境対応型インクを用いた印刷物であることを明示するようにしている。
【０００６】
一方、複写機能を有する画像形成装置において、機密文書等の複写制限がある情報や、著作権等に係る情報を原稿から読み取って、これらの情報に係る複写を制限する機能を備えたものがある。
例えば特許文献１には、読み取り部により取得された画像データから予め登録されているパターンを検知し、検知したパターンの領域の画素値を所定の画素値に置き換えて画像形成する画像形成装置が開示されている。
【０００７】
また、特許文献２には、原稿画像に付加されているコピーライトマークやロゴなどの著作権等に関わる読取禁止情報を検出し、そこから読み取った画像データそのものにコピー禁止情報を付加し、または画像データを消去する画像読み取り装置が開示されている。
【先行技術文献】
【特許文献】
【０００８】
【特許文献１】特開２００８−７２５２０号公報
【特許文献２】特開平１１−３５５５６４号公報
【発明の概要】
【発明が解決しようとする課題】
【０００９】
上記のように、環境対応型のインクを用いた印刷物には、そのインクに対応したロゴマークが印刷されていることがある。このような印刷物をさらに複写して利用する場合、複写により作成された印刷物にも環境対応型インクのロゴマークが複写されて印刷されてしまう。このときに、画像形成装置で使用するインクやトナーが、環境対応型インクのロゴマークとは異なるものである場合、虚偽情報を含む印刷物となってしまい、問題が生じる。
【００１０】
また、特許文献１，２にように、原稿画像を複写するときに、原稿の所定の領域の画像データを置換したり消去したりするような機能は存在するが、環境対応型インクのロゴマークのようなインクやトナーの成分を示す特定画像の複写時の課題について対応できるようにした機能は知られていない。
【００１１】
本発明は、上述のごとき実情に鑑みてなされたものであり、インクやトナーの成分に関する情報を示す特定画像を含む印刷物であっても、虚偽や不正の表示となることがなく、使用するインキやトナーを適切に表示させた画像形成を行うことができるようにした画像形成装置を提供することを目的とする。
【課題を解決するための手段】
【００１２】
上記課題を解決するために、本発明の第１の技術手段は、画像形成すべき画像データに基づき記録媒体に画像形成を行う画像形成部と、該画像形成すべき画像データに、画像形成に使用するインクまたはトナーの成分に関する情報を示す特定画像が含まれるか否かを判別する特定画像判定部と、該特定画像判定部により、前記画像形成すべき画像データが前記特定画像を含むと判定されたときに、前記特定画像を、前記画像形成部が使用するインクまたはトナーの成分を示す所定の成分表示マークに置換する特定画像置換処理部と、を有し、該特定画像置換処理部は、前記特定画像を前記成分表示マークに置換する際に、前記特定画像と同じ位置で、該特定画像と同じ形状および大きさを有する前記成分表示マークに置換することを特徴としたものである。
【００１３】
第２の技術手段は、第１の技術手段において、予め前記所定の成分表示マークをインクまたはトナーの成分を示す成分情報と関連付けて記憶する記憶部を有し、前記特定画像置換処理部は、前記特定画像判定部により、前記画像形成すべき画像データが前記特定画像を含むと判定されたときに、前記画像形成部で使用されているインクカートリッジまたはトナーカートリッジに備えられている記録手段から、前記成分情報を取得し、該取得した成分情報に関連付けて前記記憶部に記憶されている前記成分表示マークを前記記憶部から抽出し、前記特定画像を前記抽出した成分表示マークに置換することを特徴としたものである。
【００１４】
第３の技術手段は、第２の技術手段において、前記特定画像置換処理部は、前記画像形成部で使用されているインクカートリッジまたはトナーカートリッジに備えられている記録手段から前記成分情報を取得した際、該取得した成分情報に関連付けられている前記成分表示マークが前記記憶部に記憶されていない場合、前記画像形成すべき画像データから前記特定画像を消去することを特徴としたものである。
【００１５】
第４の技術手段は、第１の技術手段において、前記特定画像に相当するモデルパターンの画像データを予め保持する記憶部を有し、前記特定画像判定部は、前記画像形成すべき画像データと、前記記憶部に記憶したモデルパターンとでパターンマッチングを行い、前記画像形成すべき画像データに前記モデルパターンと一致する画像が含まれると判定したときに、前記画像形成すべき画像データに前記特定画像が含まれるものと判定することを特徴としたものである。
【００１６】
第５の技術手段は、第１〜４のいずれか１の技術手段において、前記特定画像は、植物系油を用いた環境対応型インクの成分を表示するためのロゴマークの画像であることを特徴としたものである。
【発明の効果】
【００１７】
本発明によれば、インクやトナーの成分に関する情報を示す特定画像を含む印刷物であっても、虚偽や不正の表示となることがなく、使用するインキやトナーを適切に表示させた画像形成を行うことができるようにした画像形成装置を提供することができる。
【図面の簡単な説明】
【００１８】
【図１】本発明による画像形成装置の要部構成の一例を示すブロック図である。
【図２】本発明による画像形成装置の具体的な構成の一例を示す図である。
【図３】原稿画像に含まれる環境対応型インクのロゴマークを成分表示マークに置き換えて画像形成するときの状態を示す図である。
【図４】本発明による画像形成装置の処理の一例を説明するためのフローチャートである。
【発明を実施するための形態】
【００１９】
図１は、本発明による画像形成装置の要部構成の一例を示すブロック図である。
本例の画像形成装置１００は、複写モード、プリントモード、スキャナモードおよびファクシミリモード等を実行可能な複合機として構成されたものである。
画像読取部１０１は、原稿画像を光学的に読取る読取手段であり、読取用の原稿に光を照射する光源と、例えばＣＣＤ（Charge Coupled Device）のようなイメージセンサとを備えている。原稿面で反射した光源からの光をＣＣＤで検出することで、原稿画像を読み取ることができる。
【００２０】
操作パネル１０２は、操作部１０２ａおよび表示部１０２ｂを有する。操作部１０２ａは、ユーザ操作を受け付けるもので、各種の操作キーを備えている。表示部１０２ｂは、例えば液晶ディスプレイからなり、タッチパネルとされる。表示部１０２ｂに表示される操作画面内にタッチキーが形成され、これらも操作キーとして機能する。
【００２１】
記憶部１０３は、例えば、不揮発性の記憶手段であり、ハードウェア各部を制御するための制御プログラム、特定画像のパターンマッチング処理により画像データとモデルパターンとの一致を判定するための特定画像判定プログラム、モデルパターンに一致した画像データを所定の成分表示マークに置き換える画像処理プログラム、特定画像判定プログラムが使用するモデルパターンの画像データ、及び画像処理プログラムが使用する置き換え用の成分表示マークの画像データ等を予め記憶している。
また、記憶部１０３は、画像読取部１０１から入力された画像データ、あるいは通信部１０４から入力された画像データを記憶する。記憶された画像データは、実行される処理に従って、画像形成（印刷）、データ送信、ファクシミリ通信等によって出力される。
【００２２】
通信部１０４は、通信インターフェースを備え、通信インターフェースがネットワークに接続され、ネットワークを介して外部装置との通信を可能とする。また、通信部１０４はモデム装置を備え、電話回線が接続されてファクシミリ通信を可能とする。さらに、通信部１０４は、通信端子や無線通信用の通信カードを備えている。通信端子には、ＵＳＢメモリ、ＩＣカード等の記憶媒体が接続され、通信部１０４は、記憶媒体との間でデータの送受信を行う。また、通信カードを通じて、携帯電話、ＰＤＡ等の通信端末と無線通信によるデータの送受信を行うことを可能とする。
【００２３】
画像形成部１０５は、画像読取部１０１で読み取った原稿画像の画像データもしくは通信部１０４を介して外部機器や外部の記録媒体等から入力した画像データを処理して記録紙等の記録媒体に画像形成（印刷）を行う。画像形成部１０５は、画像データに応じてレーザ光を走査して感光体ドラム上に静電潜像を生成し、その静電潜像にトナーを供給して顕像化して記録紙に転写する電子写真方式にて画像形成を行うことができる。また、レーザ書込装置を用いた電子写真方式により画像形成を行う他、インクジェット方式、熱転写方式、昇華方式等により画像形成を行う構成であってもよい。画像形成部１０５では、画像形成の方式に応じて、インクまたはトナーが使用される。
【００２４】
制御部１０６は、画像形成装置１００の各ハードウェアを制御するＣＰＵと、制御の際に必要なデータ等を一時的に保持するＲＡＭとを備えている。制御部１０６は、必要に応じて記憶部１０３から各種プログラムを読み出して実行し、ハードウェアの制御等を行う。また、制御部１０６の機能として、特定画像判定部１０６ａと特定画像置換処理部１０６ｂとを有しており、これらにより本発明に係る特定画像判定処理および特定画像置換処理が実行される。
【００２５】
特定画像判定部１０６ａは、画像形成部１０５で画像データを画像形成する際に、画像形成する画像データに特定画像が含まれるか否かを判定する。画像形成する画像データに特定画像が含まれるか否かの判断は、公知のパターンマッチングによって行うことができる。パターンマッチングでは、特定画像として所定のモデルパターンを予め用意して記憶部１０３に記憶させておく。
【００２６】
モデルパターンとしては、画像形成に使用するインクまたはトナーの成分に関する情報を示す特定画像が使用される。例えば、環境対応型のインクを用いて印刷物などを作成する際に使用する所定のロゴマークの画像を使用することができる。
前述したように、環境対応型のインクのロゴマークは、例えば、植物油インクマーク、大豆インクマーク、Ｗ２インクマーク、ライスインクマークなどのロゴマークで、トレードマークとして登録されたものとする。これらの環境対応型インクを使用するユーザは、使用するインクに応じたロゴマークを印刷物に印刷することで、環境対応型インクを用いた印刷物であることを明示するようにしている。この他、インクまたはトナーの成分に関する情報を示す画像として使用されるものであれば、モデルパターンの画像として使用することができる。
【００２７】
特定画像判定部１０６ａは、コピー機能やプリンタ機能等によって画像形成部１０５で画像形成が行わる際に、画像形成処理を行う前に、その画像データとモデルパターンでパターンマッチングを行い、画像データにおいてモデルパターンに一致する特定画像や、モデルパターンに近似する特定画像の存在を判定し、これらの場合に画像データにモデルパターンが含まれるものと判定する。
【００２８】
特定画像判定部１０６ａが、画像形成しようとしている画像データにモデルパターンが含まれると判定した場合、特定画像置換処理部１０６ｂは、画像データに含まれるモデルパターンに該当する特定画像を、所定の成分表示マークの画像に置き換える処理を行う。成分表示マークは、画像形成装置１００で画像形成に使用するインクやトナーに応じて予め定められたものである。例えば、植物由来の原材料を使用した所謂バイオトナーと呼ばれるトナーを用いている場合には、バイオトナーであることを示す成分表示マークを予め定めておく。
【００２９】
上記の成分表示マークは、実際に使用されるトナーの成分を示すものとして適宜予め定めておくことができる。また、画像形成部１０５がインクによって画像形成を行うものである場合には、そのインクの成分に応じた成分表示マークを予め定めておくことができる。
【００３０】
一方、トナーまたはインクを供給するためのカートリッジが備える記憶手段には、トナーまたはインクの成分を示す成分情報を予め記憶させておく。例えばトナーカートリッジから供給するトナーがバイオトナーである場合、バイオトナーであることを示す所定の成分情報をトナーカートリッジのメモリ等の記録手段に記憶させておく。
また、画像形成装置１００では、トナーまたはインクを供給するためのカートリッジに記憶される成分情報と、その成分情報に応じた成分表示マークの画像データとを予め関連付けて記憶部１０３に記憶させておく。
【００３１】
特定画像置換処理部１０６ｂが、画像データに含まれるモデルパターンに該当する特定画像を成分表示マークに置き換える場合、特定画像置換処理部１０６ｂは、トナーまたはインクのカートリッジからトナーまたはインクの成分を示す成分情報を取得し、その成分情報に関連付けられている成分表示マークの画像データを記憶部１０３から読み出す。そして画像形成しようとしている画像データに含まれるモデルパターンに該当する画像データを、記憶部１０３から読み出した成分表示マークの画像データに置き換える。画像形成部１０５では、特定画像置換処理部１０６ｂの処理によって成分表示マークに置き換えられた画像データを使用して、画像形成を行う。これにより、実際に使用するトナーやインクの成分に対応した成分表示マークを印刷することができ、実際に使用されていないトナーやインクを示すロゴマークを含む印刷物が作成されることを防ぐことができる。
【００３２】
図２は、本発明による画像形成装置の具体的な構成の一例を示す図である。
画像形成装置１００は、原稿の画像を読取る画像読取装置Ａと、画像読取装置Ａにより読取られた原稿の画像または外部から受信した画像を、カラーもしくは単色で記録用紙に形成する装置本体Ｂとを備えている。
【００３３】
画像読取装置Ａは、図１の画像読取部１０１に相当するものであり、原稿セットトレイ１、ピックアップローラ２、サバキローラ３、分離パッド４、搬送経路５、レジストローラ６、読取りガイド７、読取りガラス８、第１走査部９、第２走査部１０、結像レンズ１１、ＣＣＤ１２、搬送ローラ１３、排紙ローラ１４、排紙トレイ１５、原稿台ガラス１６を備える。
【００３４】
原稿が原稿セットトレイ１にセットされると、ピックアップローラ２が原稿表面に押し付けられる。そして、ピックアップローラ２が回転することにより原稿がトレイ１から引き出される。その後、原稿は、サバキローラ３と分離パッド４の間を通過して１枚ずつに分離されてから搬送経路５へと搬送される。
【００３５】
搬送経路５では、原稿の先端がレジストローラ６に当接して、その先端がレジストローラ６と平行に揃えられる。そして、原稿は、レジストローラ６により搬送されて読取りガイド７と読取りガラス８の間を通過する。このとき、第１走査部９に備えられた光源の光が読取りガラス８を介して原稿表面に照射され、その反射光が読取りガラス８を介して第１走査部９に入射する。この反射光は、第１走査部９および第２走査部１０が備えるミラーにより反射されて結像レンズ１１へと導かれる。そして、結像レンズ１１によって原稿の画像がＣＣＤ１２上に結像される。ＣＣＤ１２は、原稿の画像を読取り、原稿の画像を示す画像データを出力する。さらに、原稿は、搬送ローラ１３により搬送され、排紙ローラ１４を介して排紙トレイ１５に排出される。
【００３６】
画像形成装置１００は、原稿台ガラス１６上に載置された原稿を読取ることができる。レジストローラ６、読取りガイド７、排紙トレイ１５等とそれらよりも上側の部材とは一体化され、それらは原稿読取り装置Ａの背面側で開閉可能に設けられたカバー体を形成している。このカバー体が開かれると、原稿台ガラス１６が解放されて、原稿台ガラス１６上に原稿を載置することができる。
【００３７】
原稿が載置されて、カバー体が閉じられると、第１走査部９および第２走査部１０は副走査方向に移動し、第１走査部９は原稿台ガラス１６上の原稿表面を露光する。原稿表面からの反射光は、第１走査部９および第２走査部１０によって結像レンズ１１へと導かれ、結像レンズ１１によって原稿の画像がＣＣＤ１２上に結像される。このとき、第１走査部９および第２走査部１０は、相互に所定の速度関係を維持しつつ移動する。こうして読取られた原稿の画像全体は、画像データとして画像形成装置の装置本体Ｂへと送信され、装置本体Ｂにおいて記録用紙等の記録媒体に画像形成（印刷）される。
【００３８】
画像形成装置１００の装置本体Ｂは、レーザ露光装置２０、現像装置２１ａ〜２１ｄ、感光体ドラム２２ａ〜２２ｄ、帯電器２３ａ〜２３ｄ、クリーナ装置２４ａ〜２４ｄ、中間転写ベルト装置２７、定着装置３１、用紙搬送装置３２、給紙トレイ３３、および排紙トレイ３４を備える。
【００３９】
本例の画像形成装置１００において扱われる画像データは、ブラック（Ｋ）、シアン（Ｃ）、マゼンタ（Ｍ）、イエロー（Ｙ）の各色を用いたカラー画像に対応するもの、又は単色（例えばブラック）を用いたモノクロ画像に対応するものである。従って現像装置２１ａ〜２１ｄ、感光体ドラム２２ａ〜２２ｄ、帯電器２３ａ〜２３ｄ、クリーナ装置２４ａ〜２４ｄは、各色に応じた４種類の潜像を形成するようにそれぞれ４個ずつ設けられる。
感光体ドラム２２ａ〜２２ｄは、その表面が所定の電位に帯電するドラムであり、装置本体Ｂのほぼ中央に配置されている。帯電器２３ａ〜２３ｄは、感光体ドラム２２ａ〜２２ｄの表面を所定の電位に均一に帯電させる帯電手段である。
【００４０】
レーザ露光装置２０は、レーザダイオードおよび反射ミラーを備えたレーザスキャニングユニット（Laser Scanning Unit, LSU）である。レーザ露光装置２０は、帯電された感光体ドラム２２ａ〜２２ｄの表面を画像データに応じて露光して、その表面に画像データに応じた静電潜像を形成する。
現像装置２１ａ〜２１ｄは、感光体ドラム２２ａ〜２２ｄ上に形成された静電潜像をブラック（Ｋ）、シアン（Ｃ）、マゼンダ（Ｍ）、イエロー（Ｙ）のトナーにより現像する。クリーナ装置２４ａ〜２４ｄは、現像および画像転写後に感光体ドラム２２ａ〜２２ｄの表面に残留したトナーを除去および回収する。
【００４１】
現像装置２１ａ〜２１ｄの上方には、シアン、マゼンタ、イエロー、およびブラックの各色のトナーを収容したトナーカートリッジ４５ａ〜４５ｄが画像形成装置１００に対して着脱可能に装着される。各トナーカートリッジ４５ａ〜４５ｄは、収容されるトナーが異なる以外は同様の構成である。
各トナーカートリッジ４５ａ〜４５ｄには、図示しない記憶手段が設けられ、内部に収容するトナーの成分を示す成分情報を保持している。画像形成時に、画像形成すべき画像データとモデルパターンとのパターンマッチングによって、画像データにモデルパターンに該当する特定画像が含まれると判定されたときに、トナーカートリッジ４５ａ〜４５ｄの記憶手段に記憶された成分情報が読み出され、画像データの特定画像を、その成分情報に対応付けて記憶されている成分表示マークに置き換えて画像形成が行われる。
【００４２】
感光体ドラム２２ａ〜２２ｄの上方に配置されている中間転写ベルト装置２７は、中間転写ベルト２６、中間転写ベルト駆動ローラ２８、従動ローラ２９、中間転写ローラ２５ａ〜２５ｄ、および、中間転写ベルトクリーニング装置３０を備えている。
中間転写ベルト駆動ローラ２８、中間転写ローラ２５ａ〜２５ｄ、従動ローラ２９は、中間転写ベルト２６を張架して支持し、中間転写ベルト２６を矢印Ｃ方向に周回移動させる。中間転写ローラ２５ａ〜２５ｄは、中間転写ベルト２６近傍に回転可能に支持される。そして、中間転写ローラ２５ａ〜２５ｄは、中間転写ベルト２６を介して感光体ドラム２２ａ〜２２ｄに圧接され、感光体ドラム２２ａ〜２２ｄのトナー像を中間転写ベルト２６に転写するための転写バイアスを印加する。
【００４３】
中間転写ベルト２６は、各感光体ドラム２２ａ〜２２ｄに接触するように設けられており、各感光体ドラム２２ａ〜２２ｄの表面のトナー像を中間転写ベルト２６に順次重ねて転写することによって、カラーのトナー像を形成する。感光体ドラム２２ａ〜２２ｄから中間転写ベルト２６へのトナー像の転写は、中間転写ベルト２６の裏面に圧接されている中間転写ローラ２５ａ〜２５ｄによって行われる。中間転写ローラ２５ａ〜２５ｄには、トナー像を転写するために高電圧の転写バイアスが印加されている。
【００４４】
各感光体ドラム２２ａ〜２２ｄの表面のトナー像は中間転写ベルト２６で積層され、画像データによって示されるカラーのトナー像となる。このように積層された各色のトナー像は、中間転写ベルト２６とともに搬送され、中間転写ベルト２６と接触する２次転写装置３５によって記録用紙上に転写される。
中間転写ベルト２６と２次転写装置３５が備える転写ローラ３５ａとは、相互に圧接されてニップ域を形成する。また、転写ローラ３５ａには、中間転写ベルト２６上の各色のトナー像を記録用紙に転写させるための電圧が印加される。
【００４５】
２次転写装置３５によって中間転写ベルト２６上のトナー像が記録用紙上に完全に転写されず、中間転写ベルト２６上にトナーが残留することがあり、この残留トナーが次の工程におけるトナーの混色を発生させる原因となる。このため、中間転写ベルトクリーニング装置３０が残留トナーを除去および回収する。中間転写ベルトクリーニング装置３０には、クリーニング部材として、例えば中間転写ベルト２６に接触するクリーニングブレードが備えられており、クリーニングブレードが接触する部位で、従動ローラ２９により中間転写ベルト２６の裏側が支持されている。
【００４６】
給紙トレイ３３は、記録用紙を格納しておくためのトレイであり、装置本体Ｂの画像形成部の下側に設けられている。また、画像形成部の上側に設けられている排紙トレイ３４は、印刷済みの記録用紙をフェイスダウンで載置するためのトレイである。
【００４７】
また、装置本体Ｂには、給紙トレイ３３の記録用紙を２次転写装置３５や定着装置３１を経由させて排紙トレイ３４に送るための用紙搬送装置３２が設けられている。この用紙搬送装置３２は、Ｓの字形状の用紙搬送経路Ｓを有し、用紙搬送経路Ｓに沿って、ピックアップローラ３６、レジストローラ３７、定着装置３１、各搬送ローラ３８ａ〜３８ｄ、レジスト前ローラ３９、および排紙ローラ４０が配置されている。
【００４８】
ピックアップローラ３６は、給紙トレイ３３の端部に設けられ、給紙トレイ３３から記録用紙を１枚ずつ用紙搬送経路Ｓに供給する呼び込みローラである。各搬送ローラ３８ａ〜３８ｄは、記録用紙の搬送を促進補助するための小型のローラであり、用紙搬送経路Ｓに沿って複数箇所に設けられている。
【００４９】
レジストローラ３７は、搬送されてきた記録用紙を一旦停止させて、記録用紙の先端を揃え、中間転写ベルト２６と２次転写装置３５の間のニップ域で中間転写ベルト２６上のカラーのトナー像が記録用紙に転写されるように、感光体ドラム２２ａ〜２２ｄおよび中間転写ベルト２６の回転にあわせて、記録用紙をタイミングよく搬送する。
【００５０】
定着装置３１は、トナー像が転写された記録用紙を受け取り、この記録用紙を定着ベルト４１と加圧ローラ４２間のニップ域に挟み込んで搬送する。そして、定着装置３１は、記録用紙を加熱および加圧して、記録用紙上のトナー像を定着させる。
定着ローラ４３は記録用紙にトナーを定着させるローラである。加熱ローラ４４はヒーターランプを備え、ヒーターランプにより発生した熱を定着ベルト４１に供給する。ヒーターランプの熱により熱せられた定着ベルト４１は記録用紙を加熱し、トナー像を定着させる。各色のトナー像が定着された後の記録用紙は、排紙ローラ４０によって排紙トレイ３４上に排出される。
【００５１】
記録用紙の表面だけではなく、両面の印字を行う場合は、記録用紙の表面の画像を定着装置３１が定着した後に、記録用紙を用紙搬送経路Ｓの排紙ローラ４０により搬送する途中で、排紙ローラ４０を停止させてから逆回転させる。そして、記録用紙は反転経路Ｓｒに通され、その表裏が反転された後、レジストローラ３７へと導かれる。その後、記録用紙の表面と同様に、記録用紙の裏面に画像が記録、定着され、記録用紙は排紙トレイ３４に排出される。
【００５２】
図３は、原稿画像に含まれるインクまたはトナーの成分に関する情報を成分表示マークに置き換えて画像形成するときの状態を示す図である。
上記のように、本発明に係る画像形成装置の実施形態では、画像データを画像形成する際に、画像形成する画像データに特定画像が含まれるか否かを判定し、特定画像が含まれると判定した場合には、トナーカートリッジもしくはインクカートリッジの記録手段から読み出したトナーまたはインクの成分情報に対応付けられている所定の成分表示マークを特定画像に置き換えて画像形成を行う。
【００５３】
例えば図３（Ａ）に示すような印刷物２００を画像形成装置にて複写するものとする。印刷物２００には、インクまたはトナーの成分に関する情報として、環境対応型のインクを用いたときに使用される所定のロゴマーク２０２が印刷されているものとする。所定のロゴマーク２０２には、上述したように、植物油インクマーク、大豆インクマーク、Ｗ２インクマーク、ライスインクマークなどのロゴマークで、トレードマークとして登録されたものが用いられる。印刷物２００の印刷に使用するインクに応じてこれらのロゴマーク２０２を印刷することで、環境対応型インクを用いた印刷物２００であることが明示されている。
【００５４】
図３（Ａ）のような印刷物２００を画像形成装置にて複写する場合、画像形成装置では、印刷物２００の画像を読み取り、読み取った印刷物２００の画像データと、予め定めたモデルパターンとでパターンマッチングを行い、読み取った画像データにおいてモデルパターンに一致する画像やモデルパターンに近似する画像の存在を検出し、読み取った画像データにモデルパターンが含まれているか否かを判別する。
モデルパターンは、インクまたはトナーの成分に関する情報を含む所定の画像に相当するもので、上記の環境対応型インクに使用されるロゴマークを表す画像等、複数のモデルパターンを設定することができる。パターンマッチングでは、複数のモデルパターンのそれぞれについてパターンマッチングを行い、いずれかのモデルパターンに該当する画像が印刷物２００の画像データに含まれているか否かを判別する。
【００５５】
画像形成装置は、画像データにモデルパターンが含まれていると判定した場合、画像データに含まれるモデルパターンに該当する画像を、所定の成分表示マークの画像に置き換える。このとき、画像形成装置では、トナーカートリッジもしくはインクカートリッジの記録手段に記憶されている成分情報を読み出して、その成分情報に対応付けられて記憶している成分表示マークを抽出し、環境対応型インクに使用されるロゴマークの画像データを成分表示マークの画像データに置き換える。
【００５６】
画像データを置き換える際には、環境対応型のロゴマークを含む所定形状（例えば円形や矩形）の領域の画像データを、同じ形状と大きさを有する成分表示マークを含む画像データと置き換えるようにすることができる。また、予め記憶している成分表示マークを適宜拡大もしくは縮小して、印刷物２００に印刷されているロゴマーク２０２の大きさに合わせて、ロゴマーク２０２を成分表示マークに置き換える処理を行うようにすることができる。そして成分表示マークに置き換えた画像データを記録紙等に画像形成する。
【００５７】
図３（Ｂ）は、環境対応型インクに使用されるロゴマーク２０２が、所定の成分表示マーク２０３に置き換えられて画像形成された印刷物２０１を示す。成分表示マーク２０３は、画像形成装置１００で画像形成に使用するインクやトナーに応じて予め定められたもので、例えば、植物由来の原材料を使用した所謂バイオトナーと呼ばれるトナーを用いている場合には、バイオトナーであることを示す成分表示マークが予め定められている。
これにより、実際に使用するインクやトナーの成分に対応した成分表示マーク２０３を印刷することができ、実際に使用されていないインクやトナーの成分を示す情報を含む印刷物が作成されることを防ぐことができる。
【００５８】
また、環境対応型のインクに使用されるロゴマーク２０２等、インクまたはトナーの成分に関する情報を示す所定の特定画像が印刷物２００を読み取った画像データに含まれていると判断したときに、その特定画像に対応付けられた成分表示マークが記憶されていない場合、画像形成装置では、印刷物２００に印刷されているロゴマーク２０２等の特定画像を画像データから消去し、消去した状態で画像データの画像形成を行う。これにより、複写に際して使用していないインクやトナーの成分を示す情報が印刷されることを防ぐことができる。
【００５９】
図４は、本発明による画像形成装置の処理の一例を説明するためのフローチャートである。以下では図１の構成を参照しながら説明する。
原稿画像を複写する際に、まず画像形成装置１００では、画像読取部１０１によって原稿をスキャンして原稿の画像を読み取る（ステップＳ１）。そして、制御部１０６の特定画像判定部１０６ａは、予め記憶部１０３に記憶しているモデルパターンを使用して、原稿の画像データとモデルパターンとのパターンマッチング処理を行う（ステップＳ２）。
【００６０】
特定画像判定部１０６ａは、パターンマッチングの結果、環境対応型のインクに使用されるロゴマークなど、インクやトナーの成分を表す所定の特定画像が原稿の画像データに含まれているか否かを判断する（ステップＳ３）。
インクやトナーの成分を表す所定の特定画像が原稿の画像データに含まれていない場合には、そのまま画像形成部１０５により画像形成を実施する（ステップＳ７）。
【００６１】
また、インクやトナーの成分を表す所定の特定画像が原稿の画像データに含まれている場合、特定画像置換処理部１０６ｂは、トナーカートリッジの記録手段に記憶されているトナーの成分情報を取得する（ステップＳ４）。そして特定画像置換処理部１０６ｂは、トナーカートリッジから取得した成分情報に対応付けられた成分表示マークが記憶部１０３に記憶されているか否かを判別する（ステップＳ５）。
特定画像置換処理部１０６ｂは、取得した成分情報に対応付けられた成分表示マークがあれば、画像形成すべき画像データに含まれる特定画像を記憶部１０３に記憶された成分表示マークに置換し（ステップＳ６）、画像形成部１０５により画像形成を実施する（ステップＳ７）。
【００６２】
また、ステップＳ５で取得した成分情報に対応付けられた成分表示マークがない場合、特定画像置換処理部１０６ｂは、原稿の画像データに含まれる所定の特定画像を消去し（ステップＳ８）、その画像データを画像形成部１０５により画像形成する（ステップＳ７）。
なお、上記の処理でトナーカートリッジではなくインクカートリッジを用いた画像形成装置の場合には、インクカートリッジからインクの成分情報を取得して同様の処理を行うことができる。
また、画像読取部で読み取った画像データだけでなく、外部機器や外部の記録媒体から出力された画像データに対して画像形成を行う場合にも同様の処理を行って、特定画像の置換や消去を行って画像形成を行うことができる。
【符号の説明】
【００６３】
１…原稿セットトレイ、２…ピックアップローラ、３…サバキローラ、４…分離パッド、５…搬送経路、６…レジストローラ、７…ガイド、８…ガラス、９…走査部、１０…走査部、１１…結像レンズ、１２…ＣＣＤ、１３…搬送ローラ、１４…排紙ローラ、１５…排紙トレイ、１６…原稿台ガラス、２０…レーザ露光装置、２１ａ…現像装置、２２ａ…各感光体ドラム、２２ａ…感光体ドラム、２３ａ…帯電器、２４ａ…クリーナ装置、２５ａ…中間転写ローラ、２６…中間転写ベルト、２７…中間転写ベルト装置、２８…中間転写ベルト駆動ローラ、２９…従動ローラ、３０…中間転写ベルトクリーニング装置、３１…定着装置、３２…用紙搬送装置、３３…給紙トレイ、３４…排紙トレイ、３５…次転写装置、３５ａ…転写ローラ、３６…ピックアップローラ、３７…レジストローラ、３８ａ…各搬送ローラ、３９…レジスト前ローラ、４０…排紙ローラ、４１…定着ベルト、４２…加圧ローラ、４３…定着ローラ、４４…加熱ローラ、４５ａ…トナーカートリッジ、１００…画像形成装置、１０１…画像読取部、１０２…操作パネル、１０２ａ…操作部、１０２ｂ…表示部、１０３…記憶部、１０４…通信部、１０５…画像形成部、１０６…制御部、１０６ａ…特定画像判定部、１０６ｂ…特定画像置換処理部、２００…印刷物、２０１…印刷物、２０２…ロゴマーク、２０３…成分表示マーク。
【図１】
0005759416.tif 000002
【図２】
0005759416.tif 000003
【図３】
0005759416.tif 000004
【図４】
0005759416.tif 000005